(57)【要約】【課題】ワンタッチで容易・確実に掛け外しができるハーフナット装置を提供する。【解決手段】螺子棒１０と、掛け外し装置４０でこの螺子棒１０に着脱可能に螺合するハーフナット体２０ａ，２０ｂとを有し、ハーフナット体２０ａ，２０ｂは、内側に略平行に対向する平面部２４，２４に間隔Ｌを設け、この平面部２４の中央部位に螺条凹部２５を設け、螺条凹部２５と平面部２４との角部は切落部２３，２３を設ける。両ハーフナット体２０ａ，２０ｂの間には両者を遠ざける方向に付勢するスプリング２１，２１と、近接距離を所定に制限するスペーサー２２，２２，２２，２２とを設ける。そして掛け外し装置４０には、前記スプリング２１，２１の付勢力に抗して該ハーフナット体２０ａ，２０ｂの距離を縮めることのできるバネ力を有したスプリング４１，４１を介装してなる。【選択図】      図１
2004257487.tif 000002
【特許請求の範囲】
【請求項１】
螺子棒（１０）と、掛け外し装置（４０）でこの螺子棒（１０）に着脱可能に螺合するハーフナット体（２０ａ，２０ｂ）とを有し、
上記螺子棒（１０）の外側には枠体（３０）を設け、この枠体（３０）内には一対のハーフナット体（２０ａ，２０ｂ）を、前記螺子棒（１０）を間にすると共に、該枠体（３０）に案内されて接離方向にのみ移動可能にして収納し、
上記ハーフナット体（２０ａ，２０ｂ）は、内側に略平行に対向する平面部（２４，２４）を有し、この平面部（２４，２４）の中央部位に、螺子棒（１０）に螺合する螺条を設けた螺条凹部（２５）を夫々設け、この螺条凹部（２５）は螺子棒（１０）に螺合した状態で該螺子棒（１０）の半周未満で螺合して両平面部（２４，２４）には間隙（Ｌ）を有するように設定すると共に、該螺条凹部（２５）と平面部（２４）との角部は切落部（２３，２３）を設け、
上記両ハーフナット体（２０ａ，２０ｂ）の間には、両ハーフナット体（２０ａ，２０ｂ）をその螺合を解く方向に付勢するスプリング（２１，２１）を設け、さらに、この両ハーフナット体（２０ａ，２０ｂ）の間には、両ハーフナット体（２０ａ，２０ｂ）の近接距離を所定に保つスペーサー（２２，２２，２２，２２）を四カ所以上に配し、
前記掛け外し装置（４０）には、両ハーフナット体（２０ａ，２０ｂ）を螺合方向に移させる際に、前記スプリング（２１，２１）の付勢力に抗して該ハーフナット体（２０ａ，２０ｂ）の距離を縮めることのできるバネ力を有したスプリング（４１，４１）を介装してなるハーフナット装置。
【請求項２】
螺子棒（１０）と、掛け外し装置（４０）でこの螺子棒（１０）に着脱可能に螺合するハーフナット体（２０ａ，２０ｂ）とを有し、
上記螺子棒（１０）の外側には枠体（３０）を設け、この枠体（３０）内には一対のハーフナット体（２０ａ，２０ｂ）を、前記螺子棒（１０）を間にすると共に、該枠体（３０）に案内されて接離方向にのみ移動可能にして収納し、
上記ハーフナット体（２０ａ，２０ｂ）は、内側に略平行に対向する平面部（２４，２４）を有し、この平面部（２４，２４）の中央部位に、螺子棒（１０）に螺合する螺条を設けた螺条凹部（２５）を夫々設け、この螺条凹部（２５）は螺子棒（１０）に螺合した状態で該螺子棒（１０）の半周未満で螺合して両平面部（２４，２４）には間隙（Ｌ）を有するように設定すると共に、該螺条凹部（２５）と平面部（２４）との角部は切落部（２３，２３）を設け、
上記両ハーフナット体（２０ａ，２０ｂ）の間には、両ハーフナット体（２０ａ，２０ｂ）をその螺合を解く方向に付勢するスプリング（２１，２１）を設け、さらに、この両ハーフナット体（２０ａ，２０ｂ）の間には、両ハーフナット体（２０ａ，２０ｂ）の近接距離を所定に保つスペーサー（２２，２２，２２，２２）を四カ所以上に配し、
前記掛け外し装置（４０）は、前記ハーフナット体（２０ａ，２０ｂ）の外面側に軸方向に向かってその中心軸に接離方向に傾斜する楔面部（２６）を設け、上記螺子棒（１０）を中心にして移動する移動筒体（４２）を設け、この移動筒体（４２）の外周面には凹溝リング部（４３）を設けて、この凹溝リング部（４３）内には操作レバー（４４）の操作で螺子棒（１０）の略軸方向に移動する該操作レバー（４４）の先端部に設けた転子（４９ａ，４９ａ）を係入させ、
該移動筒体（４２）には、先端に上記楔面部（２６）に適合する楔体（４５）を有した一対の軸体（４６，４６）を螺子棒（１０）と平行に遊挿して取り付け、この移動筒体（４２）と軸体（４６，４６）との間には、前記スプリング（２１，２１）の付勢力に抗して、該ハーフナット体（２０ａ，２０ｂ）の距離を縮めることのできるバネ力を有したスプリング（４１，４１）を介装してなるハーフナット装置。
【請求項３】
螺子棒（１０）と、掛け外し装置（４０）でこの螺子棒（１０）に着脱可能に螺合するハーフナット体（２０ａ，２０ｂ）とを有し、
上記螺子棒（１０）の外側には枠体（３０）を設け、この枠体（３０）内には一対のハーフナット体（２０ａ，２０ｂ）を、前記螺子棒（１０）を間にすると共に、該枠体（３０）に案内されて接離方向にのみ移動可能にして収納し、
上記ハーフナット体（２０ａ，２０ｂ）は、内側に略平行に対向する平面部（２４）を有し、この平面部（２４）の中央部位に、螺子棒（１０）に螺合する螺条を設けた螺条凹部（２５）を夫々設け、この螺条凹部（２５）は螺子棒（１０）に螺合した状態で該螺子棒（１０）の半周未満で螺合して両平面部（２４，２４）には間隙（Ｌ）を有するように設定すると共に、該螺条凹部（２５）と平面部（２４）との角部は切落部（２３，２３）を設け、
上記両ハーフナット体（２０ａ，２０ｂ）の間には、両ハーフナット体（２０ａ，２０ｂ）をその螺合を解く方向に付勢するスプリング（２１，２１）を設け、さらに、この両ハーフナット体（２０ａ，２０ｂ）の間には、両ハーフナット体（２０ａ，２０ｂ）の近接距離を所定に保つスペーサー（２２，２２，２２，２２）を四カ所以上に配し、
前記掛け外し装置（４０）は、平行な案内レール（５１，５１）を有した外枠体（５０）が、前記枠体（３０）を通る該案内レール（５１，５１）に案内されて移動可能に保持し、この外枠体（５０）の一端側フランジ部（５２ａ）からは、その先端が枠体（３０）を遊挿して一方のハーフナット体（２０ａ）の外面に接する操作軸（５３）を、他端側フランジ部（５２ｂ）からは、この他端側フランジ部（５２ｂ）に案内レール（５１，５１）と平行方向に進退する主操作棒（５４）を設け、この主操作棒（５４）の先端は前記枠体（３０）内に遊挿させ、この主操作棒（５４）と他方のハーフナット体（２０ｂ）の外面との間に、前記スプリング（２１，２１）の付勢力に抗して、該ハーフナット体（２０ａ，２０ｂ）の距離を縮めることのできるバネ力を有したスプリング（４１）を介装し、さらに、この主操作棒（５４）の先端部には枠体（３０）内よりの抜止（５５）を設けてなるハーフナット装置。
【発明の詳細な説明】
【０００１】
【発明の属する技術分野】
本発明は、ハーフナット装置（割ナット装置とも称する。）に関するものである。
【０００２】
【従来の技術】
従来、ハーフナット装置は、旋盤などの送りの、掛け外し用に汎用され、螺子棒を間にした一対のハーフナット体を、ハンドルに設けたカム等で接離方向に移動させ、この両ハーフナット体の間隔を狭めると螺子棒に両ハーフナット体が螺合し、両者の間隔を広げるとこの螺合が外れるようになし、両者が螺合した状態で螺子棒又はハーフナット体のいずれか一方を固定して他方を回転させると、一方側が螺進退するようになし、両ハーフナット体の螺合を外すと他方側を回転させても螺進退はしないようになしたもので、この種の構成は「特許文献１」及び「非特許文献１」にも開示されてる。
【０００３】
しかし、この種のハーフナット装置は、掛け外しのために両ハーフナット体を接離方向に移動する距離が意外と大きく要求されるので、両ハーフナット体の駆動機構が大型になったり、操作に時間がかかるという問題点を有している。そこで、この問題点を回避するために、各ハーフナット体は正確な二分割ではなく、二分割より小さく、言い換えると、正確な半分よりも小さく形成して、螺子棒の半周未満で螺合するようになして、螺合面積は低減するも、移動距離が小さくても掛け外しができるようになしているのが一般的で、「非特許文献１」にもこの技術が図示されている。
【０００４】
また、「特許文献１」の「図３」に開示されているように、ハーフナット体と螺子棒との螺合部を、該螺子棒の半周未満とすると共に、ハーフナット体を平面から見て螺合部の両端を削り取って、さらに移動距離が小さくても掛け外しができるようになしたものも提案されている。
【０００５】
上記移動距離の低減は図１０に示すように、ハーフナット体２０ａ，２０ｂが正確な二分割ナットである同図の左側の場合、螺合が着脱できるハーフナット体２０ａ，２０ｂの移動距離（ハーフナット体２０ａ，２０ｂの片側の移動距離）は、同図の上下に示す移動距離Ｂ１／２が必要であるのに対し、図１０の右側に示す例では（Ｃ−Ａ）／２でよく、図示からも、Ｂ１／２＞（Ｃ−Ａ）／２であることが一見して明らかである。
【０００６】
上記のごとき従来例によって、ハーフナット体の移動距離が小さくても掛け外しが可能となったが、なお、ハーフナット体と螺子棒との螺合の着脱にはタイミングが必要であるとされ、螺子棒とハーフナット体とが噛み込んだ状態で、その着脱が不能となる場合があり、また、螺子棒の螺条の山とハーフナットの内周螺条の山とが重なって両者が適格に螺合しないということがあり、一般的には、ハーフナット体又は螺子棒のいずれか一方を回転しつつ、該ハーフナット体を手動で半径方向に移動させて、作業者が螺合の着脱のタイミングをとる必要性があり、迅速な掛け外しは難しいものであるという問題点が残っている。
【０００７】
また、この種のハーフナット装置は、図示実施例のような、大型弁の開閉操作を、自動と手動とに切り替えるような場合、操作部間の距離の問題や、操作時に必要とする力の問題等で、ハーフナットと螺子棒との双方を停止状態のままで確実に掛け外しする要望もあるもので、従来例では完全に満足できるものではなかった。
【０００８】
【特許文献１】
特開平９−４２５１７号公報（図３）
【非特許文献１】
別役  万愛  編「ＭＥＣＨＡＮＩＳＭ」株式会社技報堂出版、昭和３０年１１月３０日発行  Ｐ．３５５  ３５図
【０００９】
【発明が解決しようとする課題】
そこで、本発明は、上記の問題点及び要望に鑑みなされたもので、ワンタッチで容易・確実に掛け外しができるハーフナット装置を提供することを課題としたものである。
【００１０】
【課題を解決するための手段】
上記課題を達成するため、本発明は、螺子棒１０と、掛け外し装置４０でこの螺子棒１０に着脱可能に螺合するハーフナット体２０ａ，２０ｂとを有し、上記螺子棒１０の外側には枠体３０を設け、この枠体３０内には一対のハーフナット体２０ａ，２０ｂを、前記螺子棒１０を間にすると共に、該枠体３０に案内されて接離方向にのみ移動可能にして収納し、上記ハーフナット体２０ａ，２０ｂは、内側に略平行に対向する平面部２４，２４を有し、この平面部２４，２４の中央部位に、螺子棒１０に螺合する螺条を設けた螺条凹部２５を夫々設け、この螺条凹部２５は螺子棒１０に螺合した状態で該螺子棒１０の半周未満で螺合して両平面部２４，２４には間隙Ｌを有するように設定すると共に、該螺条凹部２５と平面部２４との角部は切落部２３，２３を設け、上記両ハーフナット体２０ａ，２０ｂの間には、両ハーフナット体２０ａ，２０ｂをその螺合を解く方向に付勢するスプリング２１，２１を設け、さらに、この両ハーフナット体２０ａ，２０ｂの間には、両ハーフナット体２０ａ，２０ｂの近接距離を所定に保つスペーサー２２，２２，２２，２２を四カ所以上に配し、前記掛け外し装置４０には、両ハーフナット体２０ａ，２０ｂを螺合方向に移動させる際に、前記スプリング２１，２１の付勢力に抗して該ハーフナット体２０ａ，２０ｂの距離を縮めることのできるバネ力を有したスプリング４１，４１を介装してなる技術的手段を講じたものである。
【００１１】
それ故、本発明ハーフナット装置は、掛け外し装置４０でハーフナット体２０ａ，２０ｂを、近接する方向に移動させると、該ハーフナット体２０ａ，２０ｂと螺子棒１０とが螺合し、離れる方向に移動させるとこの螺合を外すことができ、掛け外しができる作用を呈するのは従来例と同じである。
【００１２】
そして、本発明ハーフナット装置は、スプリング２１，２１を設けて有るので、掛け外し装置４０でハーフナット体２０ａ，２０ｂを脱着方向に移動自在状態とすれば、このスプリング２１，２１の付勢力で確実に螺合が脱着される作用を呈する。すなわち、螺子棒１０とハーフナット体２０ａ，２０ｂとが一時的に噛み込んでいても、以後、螺子棒１０又はハーフナット体２０ａ，２０ｂが回動するとこの噛み込みが外れ、該スプリング２１，２１の付勢力で両者の螺合が外れるように作用するものである。
【００１３】
また、本発明ハーフナット装置は、上記スプリング２１，２１に抗することのできるスプリング４１，４１を介して、ハーフナット体２０ａ，２０ｂを螺合方向に移動させるようになしてあるので、万が一、螺子棒１０とハーフナット体２０ａ，２０ｂとが螺合に適正でない位置で、該ハーフナット体２０ａ，２０ｂを近接させても、その状態を維持して、螺子棒１０又はハーフナット体２０ａ，２０ｂのいずれか一方が回転して、螺合が可能な状態となると自動的に螺合するよう作用するものである。
【００１４】
また、本発明は、ハーフナット体２０ａ，２０ｂの間に、スペーサー２２，２２，２２，２２を設けたので、該ハーフナット体２０ａ，２０ｂは螺合する際に、最終的には両ハーフナット体２０ａ，２０ｂの内径が全ての位置で所定寸法となって、正確に螺子棒１０に螺合する状態となる作用を呈するものである。
【００１５】
次に、請求項２の発明は、螺子棒１０と、掛け外し装置４０でこの螺子棒１０に着脱可能に螺合するハーフナット体２０ａ，２０ｂとを有し、上記螺子棒１０の外側には枠体３０を設け、この枠体３０内には一対のハーフナット体２０ａ，２０ｂを、前記螺子棒１０を間にすると共に、該枠体３０に案内されて接離方向にのみ移動可能にして収納し、上記ハーフナット体２０ａ，２０ｂは、内側に略平行に対向する平面部２４，２４を有し、この平面部２４，２４の中央部位に、螺子棒１０に螺合する螺条を設けた螺条凹部２５を夫々設け、この螺条凹部２５は螺子棒１０に螺合した状態で該螺子棒１０の半周未満で螺合して両平面部２４，２４には間隙Ｌを有するように設定すると共に、該螺条凹部２５と平面部２４との角部は切落部２３，２３を設け、上記両ハーフナット体２０ａ，２０ｂの間には、両ハーフナット体２０ａ，２０ｂをその螺合を解く方向に付勢するスプリング２１，２１を設け、さらに、この両ハーフナット体２０ａ，２０ｂの間には、両ハーフナット体２０ａ，２０ｂの近接距離を所定に保つスペーサー２２，２２，２２，２２を四カ所以上に配し、前記掛け外し装置４０は、前記ハーフナット体２０ａ，２０ｂの外面側に軸方向に向かってその中心軸に接離方向に傾斜する楔面部２６を設け、上記螺子棒１０を中心にして移動する移動筒体４２を設け、この移動筒体４２の外周面には凹溝リング部４３を設けて、この凹溝リング部４３内には操作レバー４４の操作で螺子棒１０の略軸方向に移動する該操作レバー４４の先端部に設けた転子４９ａ，４９ａを係入させ、該移動筒体４２には、先端に上記楔面部２６に適合する楔体４５を有した一対の軸体４６，４６を螺子棒１０と平行に遊挿して取り付け、この移動筒体４２と軸体４６，４６との間には、前記スプリング２１，２１の付勢力に抗して、該ハーフナット体２０ａ，２０ｂの距離を縮めることのできるバネ力を有したスプリング４１，４１を介装してなる技術的手段を講じたものである。
【００１６】
それ故、本発明ハーフナット装置は、前記請求項１の作用に加えて、掛け外し装置４０を、操作レバー４４の回動で、移動筒体４２を螺子棒１０の略軸方向の移動に変え、さらに、楔体４５で両ハーフナット体２０ａ，２０ｂの半径方向への移動に変換しているので、力の伝動が迅速に行え、所謂ワンタッチでの掛け外しが可能となる作用を呈するものである。
【００１７】
また、上記楔体４５は、その角度を小さく設定することで、両ハーフナット体２０ａ，２０ｂよりの反力に充分抗することのできる作用を呈するものである。
【００１８】
次に、請求項３の発明は、螺子棒１０と、掛け外し装置４０でこの螺子棒１０に着脱可能に螺合するハーフナット体２０ａ，２０ｂとを有し、上記螺子棒１０の外側には枠体３０を設け、この枠体３０内には一対のハーフナット体２０ａ，２０ｂを、前記螺子棒１０を間にすると共に、該枠体３０に案内されて接離方向にのみ移動可能にして収納し、上記ハーフナット体２０ａ，２０ｂは、内側に略平行に対向する平面部２４を有し、この平面部２４の中央部位に、螺子棒１０に螺合する螺条を設けた螺条凹部２５を夫々設け、この螺条凹部２５は螺子棒１０に螺合した状態で該螺子棒１０の半周未満で螺合して両平面部２４，２４には間隙Ｌを有するように設定すると共に、該螺条凹部２５と平面部２４との角部は切落部２３，２３を設け、上記両ハーフナット体２０ａ，２０ｂの間には、両ハーフナット体２０ａ，２０ｂをその螺合を解く方向に付勢するスプリング２１，２１を設け、さらに、この両ハーフナット体２０ａ，２０ｂの間には、両ハーフナット体２０ａ，２０ｂの近接距離を所定に保つスペーサー２２，２２，２２，２２を四カ所以上に配し、前記掛け外し装置４０は、平行な案内レール５１，５１を有した外枠体５０が、前記枠体３０を通る該案内レール５１，５１に案内されて移動可能に保持し、この外枠体５０の一端側フランジ部５２ａからは、その先端が枠体３０を遊挿して一方のハーフナット体２０ａの外面に接する操作軸５３を、他端側フランジ部５２ｂからは、この他端側フランジ部５２ｂから案内レール５１，５１と平行方向に進退する主操作棒５４を設け、この主操作棒５４の先端は前記枠体３０内に遊挿させ、この主操作棒５４と他方のハーフナット体２０ｂの外面との間に、前記スプリング２１，２１の付勢力に抗して、該ハーフナット体２０ａ，２０ｂの距離を縮めることのできるバネ力を有したスプリング４１を介装し、さらに、この主操作棒５４の先端部には枠体３０内よりの抜止５５を設けてなる技術的手段を講じたものである。
【００１９】
それ故、本発明ハーフナット装置は、前記請求項１の作用に加えて、主操作棒５４を螺子棒１０に向けて移動させると、スプリング４１が圧縮されてスプリング２１，２１の付勢力に打ち勝って、両ハーフナット体２０ａ，２０ｂを近接方向に押し込むので、螺子棒１０との螺合位置が適合すれば自動的に螺合する作用を呈するものである。
【００２０】
なお、上記主操作棒５４の進退は、図示実施例のように螺進退とすれば、迅速な操作性には欠けるも大きな反力に抗した確実な操作が可能となる作用を呈し、従来のようなレバー操作とすれば、反力受けには工夫が必要となるも迅速な操作が可能となる作用を呈し、さらには、該主操作棒５４は直線往復運動であるのでソレノイド等による遠隔操作も可能となる作用を呈するものである。
【００２１】
【実施例】
次に、本発明の実施例を添付図面に基づいて詳細に説明する。図実施例において、本発明ハーフナット装置は、シリンダー操作弁の手動・自動切換機構に使用されており、図中、１０が図では省略したその下部が、同様に図では省略した弁本体に連設した弁操作棒を構成する螺子棒である。この螺子棒１０は図示状態で、上昇するとその下部に連結した弁本体を上昇させて開弁し、該螺子棒１０を下降すると閉弁するようになっており、通常、この螺子棒１０の昇降は、図１に示されるようなシリンダ１００（エアー駆動式シリンダ）によって行われる。すなわち、螺子棒１０の下部は螺条のない円柱部（密閉性を確保するため。）となして、この円柱部はシリンダ１００を気密を保って抜き差し可能に挿通し、さらに、シリンダ１００内ではこの円柱部がピストンを貫通し、該ピストン１０１はこの円柱部に固定されている。従って、該ピストン１０１を、シリンダ１００内で昇降することで、該螺子棒１０も昇降するようになして、弁を開閉できるようになしてある。言い換えると、上記ピストン１０１の上下に円柱部を突設し、シリンダ１００の上方に貫通した円柱部の外周に螺条を設けて螺子棒１０を構成し、シリンダ１００の下方に貫通した円柱部には図では省略した弁本体を連結してある。
【００２２】
そして、本発明ハーフナット装置は、上記螺子棒１０と、掛け外し装置４０でこの螺子棒１０に着脱可能に螺合するハーフナット体２０ａ，２０ｂとを有してなるのは従来と同じである。なお、図示例では、シリンダ１００の上にスタンド１０２を介して手動回転駆動機構１０４を搭載し、この手動回転駆動機構１０４で、上記ハーフナット体２０ａ，２０ｂを回転するようになしてある。該手動回転駆動機構１０４は、図からは必ずしも明確ではないが、ハンドル１０５を回転すると、該ハンドル１０５によって回転するベベルギヤで、後記する枠体３０が螺子棒１０の中心軸を回転中心軸として回転し、同じく後記するハーフナット体２０ａ，２０ｂが枠体３０と共に回転するようになしてある。
【００２３】
また、上記スタンド１０２内に、掛け外し装置４０が収納され、該スタンド１０２の外方に設けた操作レバー４４で、この掛け外し装置４０を操作して、ハーフナット体２０ａ，２０ｂの螺子棒１０への螺合を着脱できるようになしてある。なお、この構成の詳細は後記するものとする。
【００２４】
なお、本実施例では、通常時は、上記ハーフナット体２０ａ，２０ｂの螺子棒１０への螺合は外されており（図４の状態）、シリンダ１００で弁の開閉が自動的に行えるようになしてあり、該シリンダ１００への圧力空気回路や電気信号回路等の故障等で、手動で弁を開閉せざるを得なくなったときは、掛け外し装置４０を操作して、ハーフナット体２０ａ，２０ｂを螺子棒１０に螺合させ、手動回転駆動機構１０４を操作することで、手動で弁を開閉できるようになしているものである。
【００２５】
上記螺子棒１０の外側には枠体３０を設け、この枠体３０内には一対のハーフナット体２０ａ，２０ｂを、前記螺子棒１０を間にすると共に、該枠体３０に案内されて接離方向にのみ移動可能にして収納してある。ハーフナット体２０ａ，２０ｂを螺子棒１０を間にして対設するのは従来と同じであるが、本発明では、このハーフナット体２０ａ，２０ｂと螺子棒１０とを、図３及び図４に最も明らかに示す、枠体３０内に収納して、ハーフナット体２０ａ，２０ｂを、該枠体３０に案内されて接離方向（図３及び図４の左右方向）にのみ移動可能となしている。すなわち、本実施例では、該ハーフナット体２０ａ，２０ｂは枠体３０と共に回転できるようになしてあり、ハンドル１０５を回転すると、前記もしたようにベベルギヤで枠体３０が螺子棒１０の中心軸を回転中心軸として回転し、ハーフナット体２０ａ，２０ｂが枠体３０と共に回転するようになしてあるが、無論、この実施例とは別に、このハーフナット体２０ａ，２０ｂと枠体３０とは回転しないようになし螺子棒１０側を回転するようになしてもよいものである。
【００２６】
上記ハーフナット体２０ａ，２０ｂは、内側に略平行に対向する平面部２４，２４を有し、この平面部２４の中央部位に、螺子棒１０に螺合する螺条を設けた螺条凹部２５を夫々設け、この螺条凹部２５は螺子棒１０に螺合した状態で該螺子棒１０の半周未満で螺合して両平面部２４，２４には間隙Ｌを有するように設定すると共に、該螺条凹部２５と平面部２４との角部は切落部２３，２３を設けてなる。上記螺条凹部２５は螺子棒１０に螺合した状態で該螺子棒１０の半周未満で螺合する構成と、螺条凹部２５と平面部２４との角部は切落部２３，２３を設けてなる構成とは前記した特許文献１にも記載された公知技術である。
【００２７】
そして、上記両ハーフナット体２０ａ，２０ｂの間には、両ハーフナット体２０ａ，２０ｂをその螺合を解く方向に付勢するスプリング２１，２１を設け、さらに、この両ハーフナット体２０ａ，２０ｂの間には、両ハーフナット体２０ａ，２０ｂの近接距離を所定に保つスペーサー２２，２２，２２，２２を四カ所以上に配してある。一般的には、上記両平面部２４，２４は螺子棒１０にハーフナット体２０ａ，２０ｂを螺合した状態で両者が密接して、螺合状態の正確性を安定させるようになしてあるが、本発明では敢えて、間隔Ｌを有するように設定してある。この間隔Ｌは、上記スプリング２１，２１を装填するスペースを確保するためで、このスプリング２１，２１によって、両ハーフナット体２０ａ，２０ｂは螺合を脱着する際の確実性を確保できるものである。なお、このスプリング２１，２１は、両平面部２４，２４の対向する位置に凹部６４，６４を形成し、両凹部６４，６４間にスプリング２１を圧縮した状態で介装すればよく、このスプリング２１は、ハーフナット体２０ａ，２０ｂの両側（図３及び図４の上下側）に一対配するとよい。図３と図４とは断面の位置が同一平面ではなく、上記スプリング２１は上下中央（図３奥手前方向の中央）に設けられ、後記するスペーサー２２，２２は、このプリング２１を中間にして上下部位（図３奥手前方向部位）に夫々設けてある。
【００２８】
また、上記間隔Ｌを設けることで、該ハーフナット体２０ａ，２０ｂの螺子棒１０への螺合状態が不安定化することがあり得るので、本発明では、両平面部２４，２４を密接させる代わりに、スペーサー２２，２２，２２，２２で両ハーフナット体２０ａ，２０ｂの螺合位置関係を安定的に保持するようになしてある。このスペーサー２２，２２，２２，２２は、図示例では螺子棒２２ａとナット２２ｂとで構成され、基端部をハーフナット体２０ａ，２０ｂに螺合する螺子棒２２ａは螺進退することで、両ハーフナット体２０ａ，２０ｂの距離Ｌを調整可能とすることができるようになしてあり、前記ナット２２ｂはこの螺子棒２２ａを固定できるようになしてある。なお、このスペーサー２２，２２，２２，２２は、前記もしたように、ハーフナット体２０ａ，２０ｂの平面部２４，２４の左右上下位置に計４カ所設け、前記スプリング２１，２１は、平面部２４，２４の左右中央部に２カ所設けるとバランスがよく望ましいものである。
【００２９】
そして、本発明は、前記掛け外し装置４０には、両ハーフナット体２０ａ，２０ｂを螺合方向に移動させる際に、前記スプリング２１，２１の付勢力に抗して該ハーフナット体２０ａ，２０ｂの距離を縮めることのできるバネ力を有したスプリング４１，４１を介装してなる。すなわち、本発明では、両ハーフナット体２０ａ，２０ｂの螺合を着脱（特に着装・螺合）するには、リンク等で直接行うのではなく、スプリング４１，４１の付勢力で弾止して行うようになしてある。
【００３０】
ハーフナット体２０ａ，２０ｂと螺子棒１０との螺合適合位置は、螺子棒１０の螺条の一ピッチの距離で、唯一、一カ所である。従って、両ハーフナット体２０ａ，２０ｂの間隔を狭めて、この両ハーフナット体２０ａ，２０ｂを螺子棒１０に螺合しようとしても、偶然でない限り適正に両者が螺合することはなく、螺子棒１０の螺条の山部と両ハーフナット体２０ａ，２０ｂの内周螺条の山部とが接して、螺合できない場合のほうが多いことになる。そこで、本発明では、この両者の螺条の山と山とが接触した状態で両ハーフナット体２０ａ，２０ｂを、螺合方向に向けて付勢しておくように弾止した状態を保たせ、該螺子棒１０又はハーフナット体２０ａ，２０ｂを回転させて螺合位置が一致すると、両者が自動的に螺合するようになしてある。
【００３１】
次に、請求項２の発明は、螺子棒１０と、掛け外し装置４０でこの螺子棒１０に着脱可能に螺合するハーフナット体２０ａ，２０ｂとを有し、上記螺子棒１０の外側には枠体３０を設け、この枠体３０内には一対のハーフナット体２０ａ，２０ｂを、前記螺子棒１０を間にすると共に、該枠体３０に案内されて接離方向にのみ移動可能にして収納し、上記ハーフナット体２０ａ，２０ｂは、内側に略平行に対向する平面部２４を有し、この平面部２４の中央部位に、螺子棒１０に螺合する螺条を設けた螺条凹部２５を設け、この螺条凹部２５は螺子棒１０に螺合した状態で該螺子棒１０の半周未満で螺合して両平面部２４，２４には間隙Ｌを有するように設定すると共に、該螺条凹部２５と平面部２４との角部は切落部２３，２３を設け、上記両ハーフナット体２０ａ，２０ｂの間には、両ハーフナット体２０ａ，２０ｂをその螺合を解く方向に付勢するスプリング２１，２１を設け、さらに、この両ハーフナット体２０ａ，２０ｂの間には、両ハーフナット体２０ａ，２０ｂの近接距離を所定に保つスペーサー２２，２２，２２，２２を四カ所以上に配してなるのは前記請求項１の構成と同じである。
【００３２】
そして、本発明は前記掛け外し装置４０は、前記ハーフナット体２０ａ，２０ｂの外面側に軸方向に向かってその中心軸に接離方向に傾斜する楔面部２６（図示実施例では、この楔面部２６は、図１の下方に向かって順次螺子棒１０の中心軸側に近づくよう傾斜する。）を設けてある。すなわち、本発明ではハーフナット体２０ａ，２０ｂを、該楔面部２６を使用して楔案内するものである。
【００３３】
そして、前記掛け外し装置４０として、螺子棒１０を中心にして移動する移動筒体４２を設け、この移動筒体４２の外周面には凹溝リング部４３を設けて、この凹溝リング部４３内には操作レバー４４の操作で螺子棒１０の略軸方向に移動する該操作レバー４４の先端部に設けた転子４９ａ，４９ａを係入させてある。上記移動筒体４２は、螺旋棒１０と同心状に設けられ、該螺旋棒１０の軸方向に（図１の上下方向に）移動可能となすとと共に、該螺旋棒１０の軸を回転中心軸として回転自在（枠体３０と共に回転可能）となしている。そして、この移動筒体４２を操作レバー４４で、螺旋棒１０の軸方向に移動できるようになしてあり、該操作レバー４４と移動筒体４２との連結部は、該移動筒体４２の回転を阻害しないようなすためと、揺動する操作レバー４４の先端と該移動筒体４２の連結部の変位を吸収するため、操作レバー４４の先端部に設けた転子４９ａ，４９ａを移動筒体４２の外周面に設けた凹溝リング部４３内に係入させてなるものである。
【００３４】
該移動筒体４２には、先端に上記楔面部２６に適合する楔体４５を有した一対の軸体４６，４６を螺子棒１０と平行に遊挿して取り付け、この移動筒体４２と軸体４６，４６との間には、前記スプリング２１，２１の付勢力に抗して、該ハーフナット体２０ａ，２０ｂの距離を縮めることのできるバネ力を有したスプリング４１，４１を介装してなる。すなわち、前記したハーフナット体２０ａ，２０ｂの楔面部２６は、該ハーフナット体２０ａ，２０ｂの外面側に設けられ，下方が螺旋棒１０の中心側に向かって傾斜するようになっているのに対して、移動筒体４２に設けられる上記楔体４５は、その傾斜面を楔面部２６に接するようになすのは無論で、この楔体４５は、下方が巾広で、内面側が上方に向かって螺旋棒１０の中心軸より順次遠ざかる傾斜面となしてある。
【００３５】
従って、前記移動筒体４２が、図１に示すように上昇位置にあると、軸体４６，４６も上昇位置にあって、楔体４５，４５も上昇し、両ハーフナット体２０ａ，２０ｂを近づけるように移動させる。なお、移動筒体４２と軸体４６，４６との間には、スプリング４１，４１を介装してなるので、両ハーフナット体２０ａ，２０ｂは、このスプリング４１，４１によって両者が近接する方向に押しつけられるようになっている。そして、図２に示すように、移動筒体４２が下降位置にあると、楔体４５，４５も下降し、両ハーフナット体２０ａ，２０ｂはスプリング２１，２１の付勢力で互いが離れるように位置して、螺旋棒１０との螺合を解いている状態となる。
【００３６】
上記軸体４６，４６は、その基部（下部）を移動筒体４２に遊挿し、軸体４６の下方突出部にはストッパナット４６ａを夫々螺合し、このストッパナット４６ａの位置を調整することで該軸体４６，４６の上死点及び下死点を変更できるようになしてある。また、この軸体４６，４６の移動筒体４２より上方に突出部部位にストッパー４６ｂを設け、このストッパー４６ｂと移動筒体４２の上面との間に前記スプリング４１，４１が装着されていて、移動筒体４２が上昇位置にある際は、この軸体４６，４６は該スプリング４１，４１で上方に向けて付勢されるようになしてあり、この付勢力は移動筒体４２が上死点に位置する際、楔体４５，４５と楔面部２６、２６とを介して、両ハーフナット体２０ａ，２０ｂを、スプリング２１，２１の付勢力に抗して、相互に内側に移動させることができるようになしてある。
【００３７】
なお、本願では「楔体４５を有した一対の軸体４６，４６」と記載して、軸体４６と楔体４５とが一体的であるかのように記載しているが、両者は別個に構成され、軸体４６の上昇で楔体４５を押し上げられるようになしてもよいのは無論である。
【００３８】
なお、前記移動筒体４２と操作レバー４４との連動機構を、主に、図５に基づいて説明すると、スタンド１０２を貫通して水平方向の案内筒４７が固定され、この案内筒４７内に挿入された回動軸４８の一端に操作レバー４４が連結されてなる。そして、上記案内筒４７の途中部位は分断された回動筒部４８ａとなし、この、回動筒部４８ａはピン４８ｂで回動軸４８に一体化され、操作レバー４４乃至回動軸４８と共に回動するようになしてある。そして、この回動筒部４８ａには、移動筒体４２より一回り大きく形成した半円形のアーム４９が連結され、このアーム４９は移動筒体４２を包み込むように配され、その両先端に転子４９ａ，４９ａが取り付けられ、この転子４９ａ，４９ａは凹溝リング部４３内に係入させてなる。
【００３９】
なお、上記案内筒４７の一端には、表示盤６０が固定され、この表示盤６０には、操作レバー４４の回動位置を示す、手動位置の表示６３ａと自動位置の表示６３ｂとが表示され、その各々の位置に係合欠部６２ａ，６２ｂが設けられている。そして、操作レバー４４より突設したアーム部４４ａには先端が前記係合欠部６２ａ，６２ｂに着脱可能に係合する係合ピン体５１を設けてある。
【００４０】
次ぎに、請求項３の発明は、螺子棒１０と、掛け外し装置４０でこの螺子棒１０に着脱可能に螺合するハーフナット体２０ａ，２０ｂとを有し、上記螺子棒１０の外側には枠体３０を設け、この枠体３０内には一対のハーフナット体２０ａ，２０ｂを、前記螺子棒１０を間にすると共に、該枠体３０に案内されて接離方向にのみ移動可能にして収納し、上記ハーフナット体２０ａ，２０ｂは、内側に略平行に対向する平面部２４を有し、この平面部２４の中央部位に、螺子棒１０に螺合する螺条を設けた螺条凹部２５を設け、この螺条凹部２５は螺子棒１０に螺合した状態で該螺子棒１０の半周未満で螺合して両平面部２４，２４には間隙Ｌを有するように設定すると共に、該螺条凹部２５と平面部２４との角部は切落部２３，２３を設け、上記両ハーフナット体２０ａ，２０ｂの間には、両ハーフナット体２０ａ，２０ｂをその螺合を解く方向に付勢するスプリング２１，２１を設け、さらに、この両ハーフナット体２０ａ，２０ｂの間には、両ハーフナット体２０ａ，２０ｂの近接距離を所定に保つスペーサー２２，２２，２２，２２を四カ所以上に配してなるのは請求項１及び請求項２と同じ構成である。
【００４１】
前記掛け外し装置４０は、平行な案内レール５１，５１を有した外枠体５０が、前記枠体３０を通る該案内レール５１，５１に案内されて移動可能に保持し、この外枠体５０の一端側フランジ部５２ａからは、その先端が枠体３０を遊挿して一方のハーフナット体２０ａの外面に接する操作軸５３を、他端側フランジ部５２ｂからは、この他端側フランジ部５２ｂから案内レール５１，５１と平行方向に進退する主操作棒５４を設け、この主操作棒５４の先端は前記枠体３０内に遊挿させ、この主操作棒５４と他方のハーフナット体２０ｂの外面との間に、前記スプリング２１，２１の付勢力に抗して、該ハーフナット体２０ａ，２０ｂの距離を縮めることのできるバネ力を有したスプリング４１を介装し、さらに、この主操作棒５４の先端部には枠体３０内よりの抜止５５を設けてなる。
【００４２】
上記外枠体５０は、図７乃至図９に示すように左右一対のフランジ部５２ａ，５２ｂと、この両フランジ部５２ａ，５２ｂを連結する案内レール５１，５１とで矩形枠所に構成され、一方のフランジ部５２ａは調整螺子５６，５６で他方のフランジ部５２ｂとの間隔を一定の距離に保持している。そして、枠体３０にはその両端部に通孔３１，３１が設けられ、この通孔３１，３１内の案内レール５１，５１が抜き差し自在に挿通され、左右一対のフランジ部５２ａ，５２ａは枠体３０を中心に案内レール５１，５１により図左右方向に移動可能となしている。
【００４３】
また、上記操作軸５３と主操作棒５４とは、フランジ部５２ａ，５２ｂに螺合した状態で貫通し、操作軸５３は、固定螺子５７で、該操作軸５３の先端部を外枠体５０内に突出する量を調整可能に連結してある。また、図示では、前記主操作棒５４は外枠体５０の外方端に蝶螺子摘み部５８を連設し、指先で該主操作棒５４を螺進退することができるようになしてある。すなわち、操作軸５３と主操作棒５４との内側端は対向し主操作棒５４の螺進退でその間隔が変更できるようになしてある。
【００４４】
主操作棒５４を螺進させると、該主操作棒５４がハーフナット体２０ｂを螺子棒１０に螺合させる方向に移動し、同時にフランジ部５２ｂと連結した案内レール５１，５１によってフランジ部５２ａに固定された操作軸５３がハーフナット体２０ａを螺子棒１０に螺合させる方向に移動する。枠体３０は螺子棒１０を中心にしてスタンド１０２に回転が自由な状態で保持されており、フランジ５２ａ，５２ｂのみが図面上右側に夫々移動する。
【００４５】
そして、操作軸５３の先端は直接、一方のハーフナット体２０ａの外面に接し、主操作棒５４の先端はスプリング４１を介して他方のハーフナット体２０ｂに接触するようになしているので、該主操作棒５４を外枠体５０の内方にねじ込むと図８に示すように、両ハーフナット２０ａ，２０ｂは両者の間隔を狭め、螺子棒１０に螺合する。また、該主操作棒５４を外枠体５０の外方（図８右側）に移動させると、図９に示すように、両ハーフナット２０ａ，２０ｂは両者の間隔を広げ、螺子棒１０との螺合を脱着するものである。なお、上記両ハーフナット２０ａ，２０ｂの移動に際して外枠体５０も移動するので、主操作棒５４の先端部には枠体３０内よりの抜止５５を設けて、該主操作棒５４のみが一方的に螺進退するのを防いでいる。また、本実施例での掛け外し装置４０は、蝶螺子摘み部５８を螺進させて枠体３０に固定されたハンドル１０５ａ（図７参照）を回転させれば、自動的にハーフナット体２０ａ，２０ｂと螺子棒１０が螺合する特長を有し、ギア減速を必要としない比較的力量の少ない掛け外し装置に適するものである。
【００４６】
図７は、上記ハーフナット装置を前記と同じシリンダー弁に利用したもので、ハンドル１０５ａと枠体５０とは一体的に回動するようになしてあり、螺子棒１０の下方には、図１と同様に、シリンダ１００が連結されてなる。
【００４７】
【発明の効果】
請求項１乃至請求項３の本発明によれば、掛け外しが容易確実なハーフナット装置を提供できるもので、特に、螺合の着脱に際してスプリング２１，２１，４１，４１の付勢力を利用するようになしたので、螺合を外す場合はこのスプリング２１，２１で確実に外すことができ、螺合する場合は、操作レバー４４等の一回の操作（ワンタッチ操作）で螺合方向への操作が行え、この際に例え適切な螺合がなされていなくても、螺子棒１０又は両ハーフナット２０ａ，２０ｂの回転で自動的な螺合が担保された状態とすることができるハーフナット装置を提供できるものである。
【図面の簡単な説明】
【図１】本発明をシリンダー操作弁の手動・自動切換機構に使用した実施例での要部縦断面図である。
【図２】ハーフナットの螺合が解かれた状態での要部縦断面図である。
【図３】ハーフナット螺合部の螺合状態での横断面図である。
【図４】ハーフナット螺合部の螺合を解いた状態での横断面図である。
【図５】ハーフナットを駆動するレバー操作部の横断面図である。
【図６】操作レバーの近くに設けられる表示盤の一部の正面図である。
【図７】別の実施例での要部縦断面図である。
【図８】「図７」Ａ−Ａ線部断面図である。
【図９】「図８」のハーフナットの螺合が解かれた状態での断面図である。
【図１０】作用を説明する要部断面図である。
【符号の説明】
１０      螺子棒
２０ａ    ハーフナット体
２０ｂ    ハーフナット体
２１      スプリング
２２      スペーサー
２３      切落部
２４      平面部
２５      螺条凹部
２６      楔面部
３０      枠体
４０      掛け外し装置
４１      スプリング
４２      移動筒体
４３      凹溝リング部
４４      操作レバー
４５      楔体
４６      軸体
４９ａ    転子
５１      案内レール
５２ａ    一端側フランジ部
５２ｂ    他端側フランジ部
５３      操作軸
５４      主操作棒
５５      抜止
【図１】
2004257487.tif 000003
【図２】
2004257487.tif 000004
【図３】
2004257487.tif 000005
【図４】
2004257487.tif 000006
【図５】
2004257487.tif 000007
【図６】
2004257487.tif 000008
【図７】
2004257487.tif 000009
【図８】
2004257487.tif 000010
【図９】
2004257487.tif 000011
【図１０】
2004257487.tif 000012